(57)【要約】【課題】回路規模の縮小化、低消費電力化、および調整過程の簡素化を図りつつ、より安定してウォブル信号のＡＤＩＰを復号することが可能な光ディスク装置を提供する。【解決手段】本発明に従う光ディスク装置１００は、ウォブルに対応した周期のウォブル信号をフィルタリングするバンドパスフィルタと、フィルタリングされたウォブル信号の入力に応じて、ロックドウォブル信号を出力するウォブルＰＬＬ回路と、クロック信号に基づいて、サンプリングタイミング信号を生成するタイミング発生回路と、サンプリングタイミング信号に同期して、ウォブル信号をデジタル信号に変換するアナログデジタルコンバータと、デジタル信号の振幅値が最小値となるクロックのカウント値に対応するアドレスおよび最小値をカウンタ周期毎に保持し、保持されたアドレスの分布に基づいてＡＤＩＰを復号するＡＤＩＰ復号回路と、を備える。【選択図】図１
2008186494.tif 000002
【特許請求の範囲】
【請求項１】
光ディスクのウォブルのアドレスインプリグルーブ（ＡＤＩＰ）を復号するＡＤＩＰ復号装置であって、
前記ウォブルに対応した周期のウォブル信号をフィルタリングするバンドパスフィルタと、
フィルタリングされた前記ウォブル信号の入力に応じて、位相固定したクロック信号を分周してロックドウォブル信号を出力するウォブルＰＬＬ回路と、
前記クロック信号に基づいて、サンプリングタイミング信号を生成するタイミング発生回路と、
前記サンプリングタイミング信号に同期して、フィルタリングされた前記ウォブル信号をデジタル信号に変換するアナログデジタルコンバータと、
前記ロックドウォブル信号のウォブルクロックをカウンタによりカウントするとともに、前記デジタル信号の振幅値が最小値または最大値となる前記ウォブルクロックのカウント値に対応するアドレスおよび前記最小値または前記最大値をカウンタ周期毎に保持し、保持された前記アドレスの分布に基づいて前記ＡＤＩＰを復号するＡＤＩＰ復号回路と、を備える
ことを特徴とするＡＤＩＰ復号装置。
【請求項２】
前記ＡＤＩＰ復号回路は、前記アドレスの分布と、前記アドレスに対応する前記デジタル信号の振幅値と、に基づいて、前記ＡＤＩＰを復号する
ことを特徴とする請求項１に記載のＡＤＩＰ復号装置。
【請求項３】
前記ＡＤＩＰ復号回路は、前記アドレスの分布に基づいて、前記カウンタのカウントをリセットすることを特徴とする請求項１に記載のＡＤＩＰ復号装置。
【請求項４】
前記ＡＤＩＰ復号回路は、複数のカウンタ周期の前記アドレスの分布に基づいて、前記リセットを一時的に抑制することを特徴とする請求項３に記載のＡＤＩＰ復号装置。
【請求項５】
光ディスクのウォブルのアドレスインプリグルーブ（ＡＤＩＰ）を復号する光ディスク装置であって、
前記ウォブルに対応した周期のウォブル信号をフィルタリングするバンドパスフィルタと、
フィルタリングされた前記ウォブル信号の入力に応じて、位相固定したクロック信号を分周してロックドウォブル信号を出力するウォブルＰＬＬ回路と、
前記クロック信号に基づいて、サンプリングタイミング信号を生成するタイミング発生回路と、
前記サンプリングタイミング信号に同期して、フィルタリングされた前記ウォブル信号をデジタル信号に変換するアナログデジタルコンバータと、
前記ロックドウォブル信号のウォブルクロックをカウンタによりカウントするとともに、前記デジタル信号の振幅値が最小値または最大値となる前記ウォブルクロックのカウント値に対応するアドレスおよび前記最小値または前記最大値をカウンタ周期毎に保持し、保持された前記アドレスの分布に基づいて前記ＡＤＩＰを復号するＡＤＩＰ復号回路と、を備える
ことを特徴とする光ディスク装置。
【発明の詳細な説明】
【技術分野】
【０００１】
本発明は、ＡＤＩＰを復号するＡＤＩＰ復号装置およびこのＡＤＩＰ復号装置を備えた光ディスク装置に関する。
【背景技術】
【０００２】
近年、記録可能な光ディスク媒体が普及してきている。例えば、記録可能な光ディスクであるＤＶＤ＋Ｒ／ＲＷは、ディスクの平坦面（ランド）にグルーブと呼ばれる溝によって構成されるトラックを備えている。このグルーブはわずかに蛇行して形成されており、この蛇行から所定周期を有するウォブル信号（グルーブの蛇行方向に応じて電圧が変化する信号）が取り出される。
【０００３】
このＤＶＤ＋Ｒ／ＲＷの場合、１ウォブルは、記録信号の最小単位であるチャネルビットの３２倍の周期を有する。
【０００４】
また、ＤＶＤ＋Ｒ／ＲＷの場合、データフォーマットとして、１フレーム（９３バイト長）×２６で１セクタが構成され、記録フォーマットとして、２フレームに９３周期分のウォブル信号が割り当てられる。
【０００５】
また、ＤＶＤ＋Ｒ／ＲＷには、ウォブル信号の位相を変調させ、それによってディスク上の物理的な位置情報（アドレス）などを表すアドレスインプリグルーブ（Ａｄｄｒｅｓｓ  Ｉｎ  Ｐｒｅ  ｇｒｏｏｖｅ：ＡＤＩＰ）が形成される。
【０００６】
このＡＤＩＰは、２フレームに対して１ビット情報が設けられ、９３周期分のウォブル信号のうちの先頭の８周期部分に対して位相変調が施されることによって作り込まれる。この再生信号を４セクタ分、すなわち５２ビット分読み出すことにより１つのアドレス情報が得られる。
【０００７】
ここで、ＡＤＩＰの３つある変調パターンそれぞれについて検討する。このうちシンクパターンは位相反転箇所が先頭の４ウォブルに渡って施されており（４Ｔと呼ぶ）、既述した５２ビットの先頭を示す識別パターンとなっているものとする。残る５１ビット部分はbit0もしくはbit1パターンが埋め込まれており、アドレス情報やディスク固有の物理情報、エラー訂正用パリティデータなどの情報ビットを形成する。
【０００８】
例えば、bit0パターン、bit1パターンともに先頭部分の１ウォブルが位相反転する。そして、bit0パターンでは先頭から数えて７、８番目ウォブル部分が、bit1パターンでは先頭から数えて５、６番目ウォブル部分が、それぞれ２ウォブル期間にわたり位相反転される（２Ｔと呼ぶ）。
【０００９】
例えば、９３周期分のウォブル信号のうちの先頭の８周期部分に対して非反転ウォブルを“０”、反転ウォブルを“１”と表現するとそれぞれのパターンは次のようになる。シンクパターン＝“１１１１００００”、bit0パターン＝“１０００００１１”、bit1パターン＝“１０００１１００”のようになる。
【００１０】
従来、ウォブル中に記録されるＡＤＩＰを復号するための回路を備えた光ディスク装置がある。この光ディスク装置は、ピックアップから読み出された信号からマトリクスアンプにてウォブル信号成分を取り出す。このウォブル信号をＡＧＣ（Ａｕｔｏｍａｔｉｃ Ｇａｉｎ Ｃｏｎｔｒｏｌ）にて振幅方向の安定度をとった後、ＬＰＦ、ＢＰＦに入力する。ＢＰＦではウォブル周波数成分のみを狭帯域に通過させ、安定度の高いウォブル信号を生成する。この信号からＰＬＬ回路にてウォブル周波数の安定度の高いクロックを生成する。このクロックはＡＤＩＰを復号するにあたっての処理クロックとして使用する。また、記録時にはこのクロックを利用してディスク回転レートに対する追従性能の高い記録クロックを生成する。一方、ＬＰＦではディスクに記録された情報などウォブル周波数よりも高く、ウォブルにとってはノイズとなる成分を除去する。ＬＰＦ後のウォブル信号は、適切なスライスレベルを持つ２値化回路により２値化される。ウォブルＰＬＬの持つＶＣＯは、ウォブル位相、周波数がともに合っているクロック（以降、ロックドウォブルと呼ぶ）とこのロックドウォブルから、１／４ウォブルずれた位相のクロックを生成する。
【００１１】
該ロックドウォブルと該２値化信号とをＥｘｃｌｕｓｉｖｅ ＯＲ回路に入力することで得られる出力信号を１／４遅れクロックで同期化することにより反転ウォブルが“１”となり、非反転ウォブルが“０”となるＡＤＩＰストリームを得ることができる。
【００１２】
このＡＤＩＰストリームは、ＡＤＩＰ同期復調回路に入力される。このＡＤＩＰ同期復調回路は、入力されたＡＤＩＰストリームからパターンマッチングを取り、シンクパターン、bit0、bit1パターンを検出する。
【００１３】
ＡＤＩＰ同期復調回路に設けられたウォブルカウンタは、既述の３つのパターンを検出することで９３進カウンタの０〜７の位相にＡＤＩＰ情報が現れる８ウォブル部分を合わせこむ。
【００１４】
一方、ＡＤＩＰ同期復調回路に設けられたラインカウンタは、ウォブルカウンタのキャリーを受けてカウントアップし、５２ライン、すなわち４セクタの１ＡＤＩＰ期間を計測する。このラインカウンタは、シンクパターン検出を受け、ＡＤＩＰ単位（すなわち５２ビットの区切り位置）を判断し、“０”リセットする。そして、ＡＤＩＰ同期復調回路に設けられたＡＤＩＰ復調部が、ラインカウンタの値にしたがって検出した復号パターンをＳ／Ｐ（シリアル−パラレル）変換することにより、４セクタ単位のＡＤＩＰ復調結果を得る。
【００１５】
上記従来のＡＤＩＰ復号方法は、シンプルに回路構成できるメリットがあるが、次の理由から実用レベルとは言い難い。
【００１６】
１つ目の理由は、既述のＬＰＦはＡＤＩＰの反転部分に対する波形歪みが発生しないようウォブル周波数よりも高い帯域で遮断周波数を持たせなければならない。しかしながら既述のようにウォブルは３２チャネルビット周期で生成されており、記録されている信号成分と近い帯域にある。
【００１７】
この結果、該ＬＰＦの遮断周波数を高めて歪みの小さいウォブル波形を取るか、チャネル周波数成分の除去を優先するかの２者択一となる。したがって、双方を網羅することができず、波形安定度を保つことが困難な問題がある。
【００１８】
ここで、上記問題を回避するために、ＩＩＲ（Ｉｎｆｉｎｉｔｅ Ｉｍｐｕｌｓｅ Ｒｅｓｐｏｎｓｅ）フィルタなどによりデジタルフィルタ処理する方法がある。しかし、回路構成が複雑化する上、サンプリング分解能を高める必要があるので、消費電流増大が懸念される。
【００１９】
さらに、ＬＰＦ経路の波形はクロストークの影響等によりＤＣが揺らぐ場合がある。これを吸収させるためにウォブル周波数帯域に近い遮断周波数を持つＨＰＦを通すとやはり波形歪みが生じる。このため遮断周波数を低くして急激なＤＣ揺らぎをあきらめて波形歪みの発生を抑制するか、ある程度の波形歪みがあるがＤＣ揺らぎに対する追従性を高める必要がある。
【００２０】
２つ目の理由は、既述の光ディスク装置の構成ではＬＰＦとＢＰＦの素子バラつきから双方の位相遅れ量がバラつくので、該Ｅｘｃｌｕｓｉｖｅ  ＯＲ双方の入力信号タイミングを適切に調整する処理を施す必要がある。
【００２１】
特に、既述したＢＰＦは、記録クロックを生成する元になるため、狭帯域な周波数帯域を持たせる必要がある。したがって、必然的にその中心周波数がずれた場合の位相ずれ量が大きい。一方のＬＰＦも遮断周波数をウォブル周波数帯域に近づけた場合には、位相特性が急峻になるため、やはり位相ずれ量が大きくなる。
【００２２】
そして、これら双方の位相遅れ量は、素子や信号経路が違うため一致する訳ではない。また、この違いは、温度変化にも起因する。このため製造過程における調整工程のみならず、ディスク起動時やディスク再生中などにも実施する必要が出てくる可能性もある。したがって、結果的にパフォーマンスの悪い装置となる。
【００２３】
また、従来、復号安定度を改善するために提案されている技術を利用した光ディスク装置がある（例えば、特許文献１参照。）。この光ディスク装置は、既述の従来の光ディスク装置と比較して、２値化回路がＡＤＣ（Ａｎａｌｏｇ−Ｄｉｇｉｔａｌ Ｃｏｎｖｅｒｔｅｒ）に変更されている。
【００２４】
この従来の光ディスク装置において、ＬＰＦを経由したウォブル信号は該ＡＤＣに入力される。一方、ウォブルＰＬＬのＶＣＯにて生成するクロックがタイミング生成回路に入力される。このタイミング生成回路は、該ＡＤＣのサンプリングタイミング信号を生成する。該ＡＤＣの出力結果は、デジタルフィルタを経由した後にビタビ復号回路に入力される。このビタビ復号回路は、ＰＲＭＬ（Ｐａｒｔｉａｌ Ｒｅｓｐｏｎｓｅ Ｍａｘｉｍｕｍ Ｌｉｋｅｌｉｈｏｏｄ）技術を用いＡＤＩＰを復号する。
【００２５】
該ＡＤＣのサンプリングタイミングは、ＬＰＦによるフィルタリングの後、ウォブル信号の頂点位置にあるよう調整する。そして、この結果を既述のデジタルフィルタによりフィルタリングし、反転部分の特異点を明確化する。
【００２６】
以降は規定のビタビアルゴリズムに従いＡＤＩＰストリームを得る。ＡＤＩＰストリームはビタビ処理分だけ数ウォブル単位でずれてから確定することになる。
【００２７】
上記従来技術によればホワイトノイズなど波形品位が悪化した場合であってもＡＤＩＰを確度よく復号することが可能になる。しかしながら、ＡＤＣサンプリングタイミングを適切に調整せずに、タイミングずれが発生すると読み取り性能が急激に悪化する。
【００２８】
このため、ＬＰＦとＢＰＦのバラつきを補償するタイミング調整過程が必要不可欠となる。また、復号確度を上げるため大規模なビタビ処理回路が必要となり、回路規模が増大し得る。さらに、該ＡＤＣのサンプリングはウォブル１波に２回実施しＡＤＣを高速動作させる必要があるので、消費電流が増大し得る。
【特許文献１】特開２００４−１０３１８４号公報
【発明の開示】
【発明が解決しようとする課題】
【００２９】
本発明は、回路規模の縮小化、低消費電力化、および調整過程の簡素化を図りつつ、より安定したウォブル信号のＡＤＩＰの復号が可能な光ディスク装置を提供することを目的とする。
【課題を解決するための手段】
【００３０】
本発明に係るＡＤＩＰ復号装置は、光ディスクのウォブルのアドレスインプリグルーブ（ＡＤＩＰ）を復号するＡＤＩＰ復号装置であって、前記ウォブルに対応した周期のウォブル信号をフィルタリングするバンドパスフィルタと、フィルタリングされた前記ウォブル信号の入力に応じて、位相固定したクロック信号を分周してロックドウォブル信号を出力するウォブルＰＬＬ回路と、前記クロック信号に基づいて、サンプリングタイミング信号を生成するタイミング発生回路と、前記サンプリングタイミング信号に同期して、フィルタリングされた前記ウォブル信号をデジタル信号に変換するアナログデジタルコンバータと、前記ロックドウォブル信号のウォブルクロックをカウンタによりカウントするとともに、前記デジタル信号の振幅値が最小値または最大値となる前記ウォブルクロックのカウント値に対応するアドレスおよび前記最小値または前記最大値をカウンタ周期毎に保持し、保持された前記アドレスの分布に基づいて前記ＡＤＩＰを復号するＡＤＩＰ復号回路と、を備える  ことを特徴とする。
【００３１】
本発明に係る光ディスク装置は、光ディスクのウォブルのアドレスインプリグルーブ（ＡＤＩＰ）を復号するＡＤＩＰ復号装置であって、前記ウォブルに対応した周期のウォブル信号をフィルタリングするバンドパスフィルタと、フィルタリングされた前記ウォブル信号の入力に応じて、位相固定したクロック信号を分周してロックドウォブル信号を出力するウォブルＰＬＬ回路と、前記クロック信号に基づいて、サンプリングタイミング信号を生成するタイミング発生回路と、前記サンプリングタイミング信号に同期して、フィルタリングされた前記ウォブル信号をデジタル信号に変換するアナログデジタルコンバータと、前記ロックドウォブル信号のウォブルクロックをカウンタによりカウントするとともに、前記デジタル信号の振幅値が最小値または最大値となる前記ウォブルクロックのカウント値に対応するアドレスおよび前記最小値または前記最大値をカウンタ周期毎に保持し、保持された前記アドレスの分布に基づいて前記ＡＤＩＰを復号するＡＤＩＰ復号回路と、を備えることを特徴とする。
【発明の効果】
【００３２】
本発明の一態様に係る光ディスク装置によれば、回路規模の縮小化、低消費電力化、および調整過程の簡素化を図りつつ、より安定してウォブル信号のＡＤＩＰを復号することができる。
【発明を実施するための最良の形態】
【００３３】
以下、本発明に係る各実施例について図面を参照しながら説明する。
【実施例１】
【００３４】
図１は、本発明の一態様である実施例１に係る光ディスク装置１００の要部の構成を示す図である。
【００３５】
図１に示すように、光ディスク装置１００は、ＤＶＤ＋Ｒ／ＲＷディスク等の光ディスク１にレーザ光を照射して反射光を読み取るピックアップ２と、このピックアップ２から得られる再生信号からＲＦ信号、プリピット信号、ウォブル信号、サーボ信号をそれぞれ演算生成するマトリクスアンプ３と、該サーボ信号に基づいてピックアップ２のフォーカス、トラッキング等の動作を制御するサーボ制御回路４と、を備える。
【００３６】
また、光ディスク記録装置１００は、光ディスク１を回転させるディスクモータの動作を制御する回転制御回路５と、記録信号に基づいてピックアップ２のレーザを駆動するレーザ駆動回路６と、を備える。
【００３７】
なお、ピックアップ２の内部の４分割フォトディテクタは、Ａ、Ｂ、Ｃ及びＤ面に４分割されている。
【００３８】
また、光ディスク装置１００は、ウォブル信号が入力されこのウォブル信号の振幅方向に安定させるためのＡＧＣ（Ａｕｔｏｍａｔｉｃ Ｇａｉｎ Ｃｏｎｔｒｏｌ）回路８と、このＡＧＣ回路８から出力され該ウォブルに対応した周期のウォブル信号を、フィルタリングするバンドパスフィルタ（ＢＰＦ）９と、このバンドパスフィルタ９によりフィルタリングされたウォブル信号の入力に応じて、位相固定したクロック信号を分周してロックドウォブル信号を出力するウォブルＰＬＬ回路１０と、を備える。
【００３９】
また、光ディスク装置１００は、クロック信号に基づいて、サンプリングタイミング信号を生成するタイミング発生回路１１と、該サンプリングタイミング信号に同期して、フィルタリングされたウォブル信号をデジタル信号に変換するアナログデジタルコンバータ１２と、ロックドウォブル信号のクロックをカウンタによりカウントするとともに、デジタル信号の振幅値が最小値となる該クロックのカウント値に対応するアドレスおよび該最小値をカウンタ周期毎に保持し、保持されたアドレスの分布に基づいてＡＤＩＰを復号するＡＤＩＰ復号回路１３と、を備える。
【００４０】
ここで、既述のＢＰＦ９、ウォブルＰＬＬ回路１０、タイミング生成回路１１、ＡＤＣ１２、およびＡＤＩＰ復号回路により、光ディスク１のウォブルのアドレスインプリグルーブ（ＡＤＩＰ）を復号するＡＤＩＰ復号装置１００ａが構成される。
【００４１】
また、光ディスク装置１００は、ピックアップ２が再生または記録するのに必要な信号処理をし、レーザ駆動装置６および回転制御回路５に制御信号を出力する再生記録信号処理回路１４を備える。
【００４２】
制御マイコン７から記録時に出力された記録情報は、サーボ制御回路４、再生記録信号処理回路１４に入力される。この記録情報に基づいて、サーボ制御回路４、再生記録信号処理回路１４により光ディスク１への記録の制御がなされる。
【００４３】
ここで、図２Ａないし図２Ｃは、ＢＰＦの中心周波数がセンターである場合のＡＤＩＰ回路の出力波形を示す図である。また、図３Ａないし図３Ｃは、温度特性等による素子バラつきを考慮して中心周波数をマイナス方向にずらした場合のＡＤＩＰ回路の出力波形を示す図である。また、図４Ａないし図４Ｃは、温度特性等による素子バラつきを考慮して中心周波数をプラス方向にずらした場合のＡＤＩＰ回路の出力波形を示す図である。
【００４４】
図２Ａ〜２Ｃ、図３Ａ〜図３Ｃ、図４Ａ〜図４Ｃに示すように、ＢＰＦ出力後波形をロックドウォブルの“Ｈ”区間の中心位置でサンプリングするとＡＤＩＰ回路の３つのパターンを容易に区別することができる特異性があることが判る。
【００４５】
ＢＰＦ出力後のウォブル波形は、反転部分の影響で歪みが生じる。この影響で通常はウォブル頂点位置を捉えるサンプリング点が歪み部分では電位センターよりも低い電位となる。
【００４６】
なお、この波形歪み位置はＢＰＦの群遅延特性により、ここでは２ウォブル程度遅れた形で現れている。３つのＡＤＩＰパターンはそれぞれ長い反転箇所（シンクは４Ｔ、他は２Ｔ）が異なるため、ロックドウォブルでカウントする９３進カウンタのカウント値と低電位位置との関係が変調パターン毎に明確に区別することができる。
【００４７】
また、いずれの図においても、シンクパターンではウォブル（９３進）カウンタが“２”〜”４”の位置に、ビット１パターンは“６”の位置に、ビット０パターンは“８”の位置に、それぞれサンプリング点が低電位を捉える箇所が存在する。波形安定度については中心周波数をずらした場合の波形結果からも高いことが証明される。
【００４８】
さらに、既述のように、ＢＰＦの周波数特性は、もともと記録クロックなどの生成にも利用されるため急峻な周波数特性である必要がある。
【００４９】
このため、ＬＰＦで問題となったチャネル周波数帯域もカットされるため高周波数ノイズがない上、ＤＣレベル変動もない。
【００５０】
したがって、多少の外乱にも強く、非変調領域でサンプリング点の電位が変調部分の波形歪みよりも低電位側に転ぶ可能性は非常に低い。
【００５１】
さらに復号対象をＢＰＦ出力後信号とし、同じ信号を元にウォブルＰＬＬからサンプリングタイミングを生成しているので、従来技術で問題であったＬＰＦとＢＰＦとのバラつきから起因する位相調整過程が一切不要となるメリットもある。
【００５２】
以上の理由から、反転部分が波形歪みとなって現れるＢＰＦの特性を逆に利用し、サンプリング結果の特異点を検出し、検出結果から変調パターンを推測することで、確度、安定度がともに高く、調整過程も不要なＡＤＩＰ復号が実現できる。
【００５３】
なお、ここで示すＢＰＦは、一般的な４次ＢＰＦであり、Ｑ＝２．８程度としている。次数やＱを変えた場合、当然周波数、位相、群遅延特性が変わってくるが、変調部分の特異性がサンプリング結果に現れる位置や電位が変わる程度で同じ原理で応用することが可能である。
【００５４】
次に、既述のサンプリング特異点を検出し、ＡＤＩＰ復号するまでの具体的方法について説明する。
【００５５】
既述の図１において、ピックアップ２は、サーボ制御回路４にてレーザパワー、トラッキング、フォーカシング、フィードなどが適切に制御され、ディスク１の所望位置から反射される反射光に基づき信号を読み取る。
【００５６】
同様に回転制御回路５がディスクモータを所望の回転数になるよう合わせこむ。
【００５７】
マトリクスアンプ３は、ピックアップ２から再生された信号を入力し、ＲＦ信号（メインデータ）、ウォブル信号、サーボ信号を生成する。
【００５８】
ここで、ウォブル信号は、図示しないフォトディテクタのトラッキング方向に対して２分割された信号の引き算信号、所謂プッシュプル信号から得られる。生成したウォブル信号は、さらに適切にゲイン調整した後、ＡＧＣ回路８に入力する。
【００５９】
ＤＶＤ＋Ｒ／ＲＷなどの光ディスク１は、ＣＬＶ方式にて記録されている。既述のウォブル信号には、隣接トラックからの位相の違うウォブル信号の漏れ込みが加わり、隣接トラックと同位相になった場合は波形が増大し、また逆位相になった場合には波形が縮小する。
【００６０】
ＡＧＣ回路８は、この変動を押さえ込み、振幅を一定化させる役割を持つ。
【００６１】
ＡＧＣ出力後のウォブル信号はＢＰＦに入力する。ＢＰＦはウォブル周波数帯域のみを通過させる急峻な周波数特性を持つ。この結果、安定度の高いウォブル信号が生成される。
【００６２】
ＢＰＦ出力後のウォブル信号は、ウォブルＰＬＬ回路１０に入力し、安定したウォブル周波数相当のロックドウォブルを得る。
【００６３】
ここで、図５は、図１における点線部分の、実施例１に係るＡＤＩＰを復号するための回路構成を示す図である。
【００６４】
図５に示すように、ＡＤＣ１２には、ＢＰＦ９が処理したウォブル信号（ウォブルＰＬＬ回路１０に入力する信号と同じ）が入力される。
【００６５】
タイミング生成回路１１には、ウォブルＰＬＬ回路１０のＶＣＯからウォブル信号に同期したウォブルよりも高周波数のクロックが入力される。そして、タイミング生成回路１１は、既述のＡＤＣ１２のサンプリングタイミング信号を生成しＡＤＩＰ復号回路１３に出力する。また、ＡＤＩＰ復号回路１３には、ウォブルＰＬＬ回路１０からロックドウォブル信号が入力される。
【００６６】
ここで、図６は、ＡＤＣのサンプリング動作を示す図である。ＡＤＣ１２は、フラッシュタイプで変換結果がすぐに確定するものが高速化処理に対しては望まれる。ここでは、図６に示すように、コンパレータ電位を順次変化していく逐次比較型を用いた場合のタイミング例を示す。この逐次比較型は、確定タイミングは遅延するが比較的回路面積が小さくて済む。なお、この処理時間は、ウォブル１波を超えない条件とする。また、ここでは、ＡＤＣは６ビット分解能を持つ。
【００６７】
図６に示す入力波形は、ＡＤＩＰシンクパターンの品位のよい状態（波形歪みのない状態）である。しかし、既述のように、ＢＰＦ出力後のＡＤＩＰシンクパターンは、このようにはならず反転部分の影響から歪みの大きな波形となる。
【００６８】
ＡＤＣサンプリングタイミングは、図２ないし図４に示すように、ロックドウォブルの“Ｈ”レベルの中心位置、すなわち安定した非反転領域ではウォブルの最上位位置を捉えるよう生成する。
【００６９】
なお、図６に示す理想的な入力波形がＡＤＣのＤレンジをフルに網羅する場合、ＡＤＣ出力値は、非位相反転部分において最大値“６３”が反転部分では最小値“０”となる。
【００７０】
ここで、図７は、カウンタ周期ごとにレジスタ値の変化を示すタイミングチャートである。
【００７１】
図７のタイミングチャートでは、９３進フリーランカウンタ（ウォブルカウンタ）１３ｍが一周期を計測する間それぞれの検出値保持用Ｆ／Ｆ１３ｂ〜１３ｃにはＡＤＣ出力結果が最小だった時のＡＤＣ値とカウンタ値とが保持されている。なお、保持タイミングは、アドレス値が“Ｎ−７”になった場合とする。ここで、Ｎ値は初期状態で“６”とし、すなわち初期状態ではカウンタ値が“０”から“９２”まで推移した中で得られた最小値アドレスを“９２” （６−７＝−１で９３進なので“９２”と処理する）で検出することになる。
【００７２】
なお、図７のタイミングチャートでは、ＡＤＣ最小値レジスタの初期値をカウンタのビットフル値であり、アドレス値としてはあり得ない値である“１２７”にプリセットしている。
【００７３】
図５において、ＡＤＣ最小アドレス検出回路１３ａは、ＡＤＣ１２の出力結果が最小だった時のＡＤＣ値とウォブルカウンタ１３ｍのカウンタ値とを検出し、検出値保持用Ｆ／Ｆ１３ｂに出力する。
【００７４】
また、図５において、ＡＤＩＰ復号回路１３の前回検出値保持用Ｆ／Ｆ１３ｃ、前々回検出値保持用Ｆ／Ｆ１３ｄは、それぞれ既述の検出値保持用Ｆ／Ｆ１３ｂの出力値をアドレス値“Ｎ−７”（初期状態では“９２”）発生毎に順次シフトして保持するフリップフロップである。
【００７５】
また、図５において、“Ｎ→Ｎ→Ｎ＋２”“Ｎ→Ｎ＋２→Ｎ”“Ｎ＋２→Ｎ→Ｎ”検出回路１３ｅは、検出値保持用Ｆ／Ｆ１３ｂ、前回検出値保持用Ｆ／Ｆ１３ｃ、前々回検出値保持用Ｆ／Ｆ１３ｄの出力値が、“Ｎ→Ｎ→Ｎ＋２”“Ｎ→Ｎ＋２→Ｎ”“Ｎ＋２→Ｎ→Ｎ”のような値関係にあることを検出する。
【００７６】
図７に示すように、ＡＤＣ最小値アドレス値は、初期値“１２７”の後“１７”、“２１”、“１９”、“２１”と推移している。ここで、既述のＦ／Ｆ１３ｂ〜１３ｄの出力値が“１９、２１、１９”になった時点で“Ｎ→Ｎ＋２→Ｎ検出回路”１３ｅの検出結果がアクティブとなる。この時点でＮ値保持用Ｆ／Ｆ１３ｂｆにＮ値である“１９”をセットする。これ以降、このＮ値保持用Ｆ／Ｆ１３ｆには“Ｎ→Ｎ→Ｎ＋２”“Ｎ→Ｎ＋２→Ｎ”“Ｎ＋２→Ｎ→Ｎ”検出回路１３ｅのいずれか３条件が整った段階で検出したＮ値をセットする。
【００７７】
図７に示すように、セット条件は次々と発生するもののセットされるＮ値は“１９”のまま変化しないことが判る。
【００７８】
図５に示すＡＤＩＰ検出クロックは、“＝＝Ｎ−７”検出回路１３ｎの出力結果を受けて、ウォブルカウンタ値が“Ｎ−７”になった時点で発生するパルスである。
【００７９】
図７では、例えば、Ｎ値は初期値である“６”の時は９３進フリーランカウンタのカウンタ値“９２”でパルスが発生する。また、Ｎ値が“１９”となった以降は９３進フリーランカウンタのカウンタ値“１２”でパルスが発生する。
【００８０】
また、ＡＤＣ最小値アドレス値(reg)をシフトする値も初期状態であるカウンタ値“９２”から“１３”に変化し、すなわち、カウンタ値が“１４”〜“９２”、“０”〜“１３”までの９３ウォブル期間でＡＤＣが最小値を示したアドレス値を順次保持していくことになる。
【００８１】
ここで、図５に示すパターン選択回路１３ｊは、Ｎ値とＡＤＣ最小値アドレス値とを比較する。これにより、ＡＤＩＰの３種類の変調パターンを選択し、選択結果を出力する。すなわち、パターン選択回路１３ｊは、Ｎ値とＡＤＣ最小値アドレス値との関係から“＝＝Ｎ−（２ｏｒ３ｏｒ４）”検出回路１３ｇ、“Ｎ” 検出回路１３ｈ、“Ｎ＋２” 検出回路ｉが条件一致判定した結果を受け、それぞれの結果からシンクパターン、ビット１パターン、ビット０パターンと選択する。
【００８２】
なお、いずれの条件も検出されなかった場合には、パターン選択回路１３ｊは、例えば、ビット１パターンを固定的に選択する。選択結果は、例えば２ビットの信号として、シンク時に“０ｂ１１”、ビット０時に“０ｂ００”、ビット１時に“０ｂ０１”などと表現する。選択結果は、既述のＡＤＩＰ検出クロックとともにライン（５２進）カウンタ１３ｋ、Ｓ／Ｐ回路１３ｌに入力する。
【００８３】
ラインカウンタ１３ｋでは、従来技術におけるラインカウンタ機能同様に、パターン選択回路１３ｊの検出結果を受けて５２ビットのＡＤＩＰデータの区切り位置を判断する。
【００８４】
Ｓ／Ｐ回路１３ｌは、ラインカウンタ１３ｋの値とＡＤＩＰ検出クロックを利用して、変調パターン選択結果をシリアルパラレル変換し、最終的にＡＤＩＰ復調データを出力する。
【００８５】
ここで、既述の方法によりＡＤＩＰが正しく復号できる理由について述べる。図２〜図４に示すように、ＡＤＩＰの３つの変調パターンにおいて９３進のウォブルカウンタ１３ｍが１周期計測する期間で、サンプリング結果が最も低電位を示す値が各変調パターンによりほぼ一定となる。
【００８６】
各図においてＡＤＩＰ変調領域開始ウォブル、すなわち各変調パターンにおいて必ず位相反転が発生するウォブル（シンクでは４Ｔの先頭、他では１Ｔ部分）で、カウンタ値が“０”となる。この場合、シンクパターンは“２”または“３”または“４”位置が、ビット１パターンは“６”位置が、ビット０パターンは“８”位置が最も低電位となる。
【００８７】
すなわち、これらの距離関係は概ね“２”となっている。このうち変調規則から２Ｔ位置が距離“２”だけ離れて配置されるビット１とビット０パターンはＢＰＦ中心周波数のバラつきを考慮しても最小電位位置の距離が“２”となる関係が常に保たれる。
【００８８】
一方のシンクパターンもビット１からの距離は概ね“２”であるが、４Ｔパターンで反転期間が比較的長いため、“２”〜“４”と中心周波数バラつきによる影響が現れる。ところが、実際にはカウンタはフリーランで、回っているためＡＤＩＰ変調領域とは位相が一致しない場合がほとんど（９２／９３の確率で）であり、既述のアドレス値はこの位相差分だけシフトすることになる。しかしながら、既述の距離関係自体は変わらない。
【００８９】
本実施例では最初にこのシフト量を検出し、以降検出したＡＤＣ最小値アドレス値からＡＤＩＰ変調パターンを類推する。
【００９０】
次に、位相差量検出、すなわちＮ値検出過程について説明する。
【００９１】
この過程では安定度の高いビット１とビット０との距離関係を利用し、ビット１時に最小電位となる（図２〜図４におけるアドレス値“６”）位置を検出する。シンクパターンとビット１との距離関係も“２”である場合があるが、シンクパターンは５２回に１回の割合でしか発生しない。
【００９２】
このため、３回連続の検出結果の組み合わせがＮ、Ｎ、Ｎ＋２（順不同）となるのは、ビット１、ビット１、ビット０の関係しかない。ここで検出したＮ値（ここでは“２５”）は、ビット１パターンで最小値となるアドレス値（図２〜図４におけるアドレス値“６”）を示すことになる。
【００９３】
したがって、これ以降、Ｎ＋２の場合（この例では“２７”）はビット０、Ｎ（この例では“２５”）の場合はビット１、Ｎ−２、Ｎ−３、Ｎ−４（この例では“２１、２２、２３”）の場合はシンクパターンと区別することができる。
【００９４】
アドレス値が前記のいずれにも一致しなかった場合、すなわち、図５に示す３入力ＮＯＲ出力が“Ｈ”になった場合は、例えばビット１パターンとする。
【００９５】
また、図７のタイミングチャートに示すように、初期状態からＮ値が決定するまでの期間も強制的にビット１パターンに復号する（或いは、ＡＤＩＰ検出クロックを生成しない方法も可能）。これらはシンクパターン以外であればよく、強制的にビット０にしてもよい。
【００９６】
なお、図５の＝＝“Ｎ−（２ｏｒ３ｏｒ４）”検出回路１３ｇ、“Ｎ”検出回路１３ｈ、“Ｎ＋２”検出回路１３ｉの構成のうち、“Ｎ”検出回路１３ｈを削除して、残る２つの検出結果がアクティブでない場合はビット１にするようにするとさらに回路規模を削減することができる。
【００９７】
なお、Ｎ−２、Ｎ−３、Ｎ−４やＮ＋２などの値が９２を超えた場合、或いは、０を下回った場合には９３進を考慮した補正処理する必要がある。
【００９８】
また、Ｎ値検出は確定した以降も実施するが、トラックジャンプするなどして前記シフト量、すなわちＡＤＩＰ変調領域とカウンタとの位相関係が変わらなければＮ値保持用Ｆ／Ｆに保持されるＮ値は変わらない。
【００９９】
次に、実施例１において、定常状態からトラックジャンプするなどしてＡＤＩＰの変調領域とカウンタとの位相関係、すなわちＮ値が変わった場合の動作について説明する。図８は、定常状態からトラックジャンプするなどしてＡＤＩＰの変調領域とカウンタとの位相関係、すなわちＮ値が変わった場合の動作のタイミングチャートである。
【０１００】
図８ではトラックジャンプする前のＮ値が“２５”だったが、トラックジャンプ発生によりウォブルカウンタとＡＤＩＰの変調領域との位相関係が変わり、Ｎ＝“７１”に再引き込みした挙動を示す。
【０１０１】
トラックジャンプ直後にＡＤＣ最小値アドレス値（ｒｅｇ）が“７３”となるが、ここでは既述の処理方法に従い、ビット１に強制的に復号する。
【０１０２】
また、引き込み条件である“Ｎ→Ｎ→Ｎ＋２”“Ｎ→Ｎ＋２→Ｎ”“Ｎ＋２→Ｎ→Ｎ”条件がいずれも整わないため、Ｎ値は“２５”のまま変わらない。
【０１０３】
次に、“７３”→“７１”→“７１”となった時点で“Ｎ→Ｎ→Ｎ＋２”“Ｎ→Ｎ＋２→Ｎ”“Ｎ＋２→Ｎ→Ｎ”検出回路１３ｅの出力がアクティブとなり、Ｎ値保持用Ｆ／Ｆ１３ｆにおいてＮ値が“７１”にセットされる。
【０１０４】
これ以降、アドレス“６５”〜“９２”、“０”〜“６４”の９３ウォブル期間で確定したＡＤＣ最小値アドレス値を保持し、確定位相であるアドレス“６４”（Ｎ−７）でＡＤＩＰ検出クロックを出力する。
【０１０５】
また、検出したＡＤＣ最小値アドレス値が“６７”または“６８”または“６９”の場合はシンクパターンに、“７１”の場合はビット１パターンに、“７３”の場合はビット０パターンに、それぞれ復号する。
【０１０６】
以上のように、本実施例に係る光ディスク装置によれば、回路規模の縮小化、低消費電力化、および調整過程の簡素化を図りつつ、より安定してウォブル信号のＡＤＩＰを復号することができる。
【０１０７】
なお、本実施例の説明においては、アナログデジタルコンバータ１２が変換したデジタル信号の振幅値の最小値を、ＡＤＩＰを復号するための基準として捉えた。しかし、該デジタル信号の振幅値の最大値を、ＡＤＩＰを復号するための基準として捉えてもよい。この場合、ＡＤＩＰ復号回路１３は、ロックドウォブル信号のクロックをカウンタによりカウントするとともに、デジタル信号の振幅値が最大値となる該クロックのカウント値に対応するアドレスおよび該最大値をカウンタ周期毎に保持し、保持されたアドレスの分布に基づいてＡＤＩＰを復号する。同様に、他の構成についても、デジタル信号の振幅値の“最小値”と“最大値”とを置き換えることにより、本実施例、および他の実施例が説明される。
【実施例２】
【０１０８】
実施例１では、ＡＤＣが出力するデジタル信号の振幅値が最小値となるウォブルクロックのカウント値に対応するアドレスおよび該最小値をカウンタ周期毎に保持し、保持された該アドレスの分布に基づいてＡＤＩＰを復号する構成について述べた。
【０１０９】
本実施例においては、他のＡＤＩＰを復号する構成について述べる。なお、光ディスク装置の構成は、図１に示す光ディスク装置１００の構成と同様である。そして、本実施例に係るＡＤＩＰ復号回路２１３が図１のＡＤＩＰ復号回路１３に置き換わるものである。
【０１１０】
図９は、図１における点線部分の、本発明の一態様である実施例２に係るＡＤＩＰを復号するための回路構成を示す図である。なお、実施例１と同様の符号を付された構成は、実施例１と同様の構成である。
【０１１１】
図９に示すように、ＡＤＣ１２には、ＢＰＦ９が処理したウォブル信号（ウォブルＰＬＬ回路１０に入力する信号と同じ）が入力される。
【０１１２】
タイミング生成回路１１には、ウォブルＰＬＬ回路１０のＶＣＯからウォブル信号に同期したウォブルよりも高周波数のクロックが入力される。そして、タイミング生成回路１１は、既述のＡＤＣ１２のサンプリングタイミング信号を生成しＡＤＩＰ復号回路２１３に出力する。また、ＡＤＩＰ復号回路２１３には、ウォブルＰＬＬ回路１０からロックドウォブル信号が入力される。
【０１１３】
ここで、本実施例は、既述の実施例１の動作と比較すると、ＡＤＩＰ復号回路２１３のＡＤＣ最小値アドレス検出回路１３ａ、検出値保持用Ｆ／Ｆ１３ｂ、前回検出値保持用Ｆ／Ｆ１３ｃ、前々回検出値保持用Ｆ／Ｆ１３ｄ、および“Ｎ→Ｎ→Ｎ＋２”“Ｎ→Ｎ＋２→Ｎ”“Ｎ＋２→Ｎ→Ｎ”検出回路１３ｅによるＮ値検出までは同じで、変調パターンの復号動作が異なる。
【０１１４】
図９に示すように、ＡＤＩＰ復号回路２１３は、実施例１と異なる構成として、＝＝“Ｎ−２”時ＡＤＣ値検出回路１３ｏ、＝＝“Ｎ”時ＡＤＣ値検出回路１３ｐ、＝＝“Ｎ＋２”時ＡＤＣ値検出回路１３ｑ、これらの出力値の大小比較する大小比較回路１３ｒを有する。そして、ＡＤＩＰ復号回路２１３は、この大小比較回路１３ｒの比較結果からスイッチを切り換えて変調パターンを決定する。
【０１１５】
ここで、実施例２における変調パターン判定方法について具体的に説明する。
【０１１６】
実施例１同様に、ＡＤＩＰ復号回路２１３は、Ｎ値を検出した後、“Ｎ−７”検出回路１３ｎによりＡＤＩＰ検出クロックを生成し、この位置でＡＤＣ最小値アドレスを保持する。
【０１１７】
この一方で、図９に示すように、ＡＤＣ最小値アドレスが“Ｎ−２”、“Ｎ”、“Ｎ＋２”の時のＡＤＣ出力結果を、それぞれ“＝＝Ｎ−２時ＡＤＣ値”検出回路１３ｏ、“＝＝Ｎ時ＡＤＣ値” 検出回路１３ｐ、“＝＝Ｎ＋２時ＡＤＣ値” 検出回路１３ｑにより保持する。この結果を大小比較回路１３ｒにより比較する。この比較結果で最も小さかったアドレス値が“Ｎ−２”だった場合にはシンクパターンに、“Ｎ”だった場合にはビット１に、“Ｎ＋２”だった場合にはビット０に、それぞれ判定し、スイッチを切り換える。
【０１１８】
以上の実施例２による判定方法では、既述のように変調パターンによりＡＤＣ出力値が最小となり得る３カ所のアドレス値にて検出したＡＤＣ出力値を、相対比較することにより、変調パターンを復号する。
【０１１９】
すなわち、ＡＤＩＰ復号回路２１３は、ロックドウォブル信号のクロックをカウンタによりカウントするとともに、ＡＤＣ出力値（デジタル信号の振幅値）が最小値となるウォブルクロックのカウント値に対応するアドレスおよび該最小値をカウンタ周期毎に保持する。さらに、ＡＤＩＰ復号回路２１３は、保持されたアドレスの分布と、このアドレスに対応する該ＡＤＣ出力値（該デジタル信号の振幅値）とに基づいてＡＤＩＰを復号するものである。
【０１２０】
なお、ＡＤＣ出力値が最小となるアドレスは、図２〜図４の例に示すように、ビット１は安定して“６”に、ビット０は安定して“８”にそれぞれなるが、シンクパターンは“２”、“３”、“４”とばらつく。
【０１２１】
しかしながら、図２〜図４のシンクパターンは、いずれも“４”、“６”、“８”の電位の中では明らかに“４”が低電位になっており、相対比較する本方式ではこのバラつきは問題にならない。
【０１２２】
ここで、誤検出などから大小比較で最も小さい値が一つに限定できなかった場合には、既述のように強制的にビット１に復号するなどの保護を入れてもよい。
【０１２３】
さらに、大小比較する際に、最も小さかったＡＤＣ出力値が、例えば“６１”など高電位を示した場合、明らかに位相反転による影響がなく、ウォブル頂点位置の値のバラつきによる結果と言える。このため、中間電位である“３２”など所定の値以上であった場合には同様に強制的にビット１やビット０などシンクパターン以外の値にする保護を加えておいてもよい。
【０１２４】
以上の実施例２における変調パターン判定は、実施例１における判定方法と比較して、大小比較器など若干の回路増加があるものの、外乱に強いメリットがある。
【０１２５】
この理由について説明する。図１０は、傷などによる外乱が発生した場合の実施例１による復号結果を示すタイミングチャートである。また、図１１は、傷などによる外乱が発生した場合の実施例２による復号結果を示すタイミングチャートである。
【０１２６】
なお、外乱は、図１０に示すように、途中のビット０のＡＤＩＰワード期間において発生している。しかし、この外乱は、ビット０を示す位相変調領域でなく、非変調領域で発生している。この結果、ＡＤＣ出力値がビット０では通常“Ｎ＋２”となるべきＡＤＣ最小値アドレスが“Ｎ＋２３”になった場合、すなわち“Ｎ＋２”の時のＡＤＣ出力結果よりも“Ｎ＋２３”の時のＡＤＣ出力結果の方が小さい値だった場合を仮定している。
【０１２７】
図１０に示すように、実施例１による変調パターン判定では、既述のようにＡＤＣ最小値アドレスが“Ｎ−（２ｏｒ３ｏｒ４）”、“Ｎ”、“Ｎ＋２”のいずれでもなかったため、ビット１に強制復号する保護機能が働き、結果的に判断を誤ることになる。
【０１２８】
一方、図１１に示すように、実施例２による変調パターン判定では、“Ｎ−２”時のＡＤＣ出力値が“６３”、“Ｎ”時のＡＤＣ値が“６３”、“Ｎ＋２”時のＡＤＣ値が“５”であり、これらを相対比較した結果“Ｎ＋２”が最も小さいため、誤りなくビット０と判定することができる。
【０１２９】
このように、本実施例は、実施例１と比較して、傷など外乱による影響が非変調領域で発生する場合に対する耐性が高いといえる。
【０１３０】
以上のように、本実施例に係る光ディスク装置によれば、回路規模の縮小化、低消費電力化、および調整過程の簡素化を図りつつ、より安定してウォブル信号のＡＤＩＰを復号することができる。
【実施例３】
【０１３１】
実施例２では、ＡＤＣ出力値（デジタル信号の振幅値）が最小値となるウォブルクロックのカウント値に対応するアドレスの分布と、このアドレスに対応する該ＡＤＣ出力値（該デジタル信号の振幅値）とに基づいてＡＤＩＰを復号する構成について述べた。
【０１３２】
本実施例においては、アドレスの分布と、このアドレスに対応する該ＡＤＣ出力値（該デジタル信号の振幅値）とに基づいてＡＤＩＰを復号する他の構成について述べる。なお、光ディスク装置の構成は、図１に示す光ディスク装置１００の構成と同様である。
【０１３３】
図１２は、図１における点線部分の、本発明の一態様である実施例３に係るＡＤＩＰを復号するための回路構成を示す図である。なお、実施例１、２と同様の符号を付された構成は、実施例１、２と同様の構成である。そして、本実施例に係るＡＤＩＰ復号回路３１３が図１のＡＤＩＰ復号回路１３に置き換わるものである。
【０１３４】
図１２に示すように、ＡＤＣ１２には、ＢＰＦ９が処理したウォブル信号（ウォブルＰＬＬ回路１０に入力する信号と同じ）が入力される。
【０１３５】
タイミング生成回路１１には、ウォブルＰＬＬ回路１０のＶＣＯからウォブル信号に同期したウォブルよりも高周波数のクロックが入力される。そして、タイミング生成回路１１は、既述のＡＤＣ１２のサンプリングタイミング信号を生成しＡＤＩＰ復号回路３１３に出力する。また、ＡＤＩＰ復号回路３１３には、ウォブルＰＬＬ回路１０からロックドウォブル信号が入力される。
【０１３６】
図１２に示すように、ＡＤＩＰ復号回路２１３は、ウォブル（９３進）カウンタ３１３ａ、＝＝“４”時ＡＤＣ値検出回路３１３ｂ、＝＝“６”時ＡＤＣ値検出回路３１３ｃ、＝＝“８”時ＡＤＣ値検出回路３１３ｄ、を有する。なお、＝＝“４”時ＡＤＣ値検出回路３１３ｂは、Ｎ値が６のときの図９の＝＝“Ｎ−２”時ＡＤＣ値検出回路１３ｏに対応する。また、＝＝“６”時ＡＤＣ値検出回路３１３ｃは、Ｎ値が６のときの図９の＝＝“Ｎ”時ＡＤＣ値検出回路１３ｐに対応する。＝＝“８”時ＡＤＣ値検出回路３１３ｄは、Ｎ値が６のときの図９の＝＝“Ｎ＋２”時ＡＤＣ値検出回路１３ｑに対応する。
【０１３７】
本実施例では、実施例２と基本的な復号方法は同じで、既述のようにウォブルカウンタ３１３ａをフリーランカウンタ１３ｍと別に設けている。
【０１３８】
フリーランカウンタ１３ｍは、専らＮ値検出のために使用される。＝＝“Ｎ−７”検出回路１３ｎが出力したＡＤＩＰ検出クロックを受けて、ウォブルカウンタ３１３ａの位相を、図２〜図４に示したように、変調領域の先頭ウォブルがアドレス値“０”に対応するように、位相あわせする。
【０１３９】
すなわち、ウォブルカウンタ３１３ａは、既述のフリーランカウンタ１３ｍが“Ｎ−７”位置で生成するＡＤＩＰ検出クロックにてリセットする。これによりＡＤＣ出力値を相対比較する際にウォブルカウンタのアドレス値を“４”、“６”、“８”と固定値化することができる。
【０１４０】
ここで、図１３は、実施例３による復号結果を示すタイミングチャートである。
【０１４１】
図１３に示すタイミングチャートにおいて、Ｎ値は初期値である“６”から“１９”に変化する。これに伴いＡＤＩＰ検出クロックの発生位置がフリーランカウンタの“９２”の位置から“１２”の位置に変化する。ウォブルカウンタ３１３ａには、この位置でリセットがかかり、ＡＤＩＰ変調領域に対して位相が合う。以降、このウォブルカウンタ値が“４”、“６”、“８”のときに各検出回路３１３ｂ〜３１３ｄにより検出したＡＤＣ値を、大小比較回路１３ｒが大小比較し、実施例２同様の判定方法によりＡＤＩＰを復号する。
【０１４２】
ここで、図１４は、本実施例においてトラックジャンプなどの影響により位相ずれが発生した後に、再び引き込むまでの過程を示すタイミングチャートである。
【０１４３】
図１４に示すように、トラックジャンプ発生前でＮ値は“２５”であったがトラックジャンプ発生後に“７１”に変化する。トラックジャンプ発生後にＮ値が確定するまでの間はウォブルカウンタ“４”、“６”、“８”位置に位相反転による波形歪み箇所が位置しないため、ＡＤＣ出力値が“６３”などの高電位を示す。ここで、既述のような保護機能を利用して最小値であったＡＤＣの値が例えば、“３２”などの所定値を超えた場合には強制的にビット１などにしておく。
【０１４４】
このように、本実施例では実施例２と基本的復号方法は変わらずに効果は同じである。しかし、ウォブルカウンタ分の回路規模が増える一方で、相対比較するアドレス値を固定値化できるメリットがある。
【０１４５】
以上のように、本実施例に係る光ディスク装置によれば、回路規模の縮小化、低消費電力化、および調整過程の簡素化を図りつつ、より安定してウォブル信号のＡＤＩＰを復号することができる。
【実施例４】
【０１４６】
実施例３では、ＡＤＩＰ検出クロックに応じて、ウォブルカウンタをリセットする構成について述べた。
【０１４７】
本実施例においては、当該リセット動作をノイズ等の外乱から保護するとともに実施例１、２、３よりも引き込みの早いＡＤＩＰ復号方法を実現するための構成について述べる。なお、光ディスク装置の構成は、図１に示す光ディスク装置１００の構成と同様である。
【０１４８】
図１５は、図１における点線部分の、本発明の一態様である実施例４に係るＡＤＩＰを復号するための回路構成を示す図である。なお、実施例１ないし３と同様の符号を付された構成は、実施例１ないし３と同様の構成である。そして、本実施例に係るＡＤＩＰ復号回路４１３が図１のＡＤＩＰ復号回路１３に置き換わるものである。
【０１４９】
本実施例では、実施例１、２、３と異なり、２連続周期で計測したＡＤＣ最小値アドレスが“Ｎ”、“Ｎ＋２”（順不同）の組み合わせであったことを検出し、Ｎ値を確定する。したがって、引き込み過程が早いのが特徴である。なお、ウォブル（９３進）カウンタ３１３ａが初期状態からマイコン命令等によりカウントを開始し、１周期毎にＡＤＣ出力が最小だったアドレスを検出する過程については、既述した実施例１ないし３と同じである。
【０１５０】
図１５において、＝＝“２”ｏｒ ＝＝“−２”検出回路４１３ａは、２周期連続計測した最小値アドレスの差分値が“２”または“−２”であることを検出する。
【０１５１】
ここで、図１６は、実施例４による同期引き込み時の復号結果を示すタイミングチャートである。
【０１５２】
図１６に示すように、最小値アドレスが“２１”→“１９”と推移した時点で、＝＝“２”ｏｒ ＝＝“−２”検出回路４１３ａは差分値“２”を検出し、差分値“２”検出信号を出力する。
【０１５３】
図１５に示すように、＝＝“２”ｏｒ ＝＝“−２”検出回路４１３ａによる検出結果は、引き算回路４１３ｏへ入力される。引き算回路４１３ｏでは入力結果を受け、ＡＤＣ最小値アドレス値（図１６のタイミングチャートでは“１９”）から“６”または“８”を選択して引き算する。
【０１５４】
＝＝“２”ｏｒ ＝＝“−２”検出回路４１３ａは、差分値が“２”だった場合は“６”を、差分値が“−２”だった場合は、“８”をそれぞれ選択する。引き算結果は、一致比較回路４１３ｆに入力され、ウォブルカウンタ３１３ａから出力されたウォブルカウンタ値と一致比較が成される。一致比較結果は、既述の差分値“２”または“−２”検出結果とともにＡＮＤ回路４１３ｍに入力される。そして、ＡＮＤ回路４１３ｍの出力結果は、ウォブルカウンタ３１３ａのリセット信号を生成する複合ゲートＡＮＲ１回路４１３ｎおよびウォブルカウンタ同期保護開始判定回路４１３ｇに入力される。
【０１５５】
このウォブルカウンタ同期保護開始判定回路４１３ｇは、＝＝“６”検出回路４１３ｃの出力（“６”検出ホールド信号）、＝＝“８”検出回路４１３ｄの出力（“８”検出ホールド信号）、ＮＯＲ回路４１３ｋの出力（“６”、“８”以外検出信号）、および、ＡＮＤ回路４１３ｍの出力に基づいて、同期保護開始信号をウォブルカウンタロック信号生成回路に出力する。すなわち、ウォブルカウンタ同期保護開始判定回路４１３ｇは、デジタル信号の振幅値が最小値となるウォブルクロックのカウント値に対応するアドレスの分布に基づいて、ウォブルカウンタのリセットを抑制（同期保護開始）する信号を出力する。
【０１５６】
この同期保護開始信号を受けたウォブルカウンタロック信号生成回路４１３ｉは、ウォブルカウンタロック信号“Ｈ”を出力する。
【０１５７】
また、ウォブルカウンタ同期保護解除判定回路４１３ｈは、ＮＯＲ回路４１３ｋの出力する“６”、“８”以外検出信号に基づいて、同期保護解除信号をウォブルカウンタロック信号生成回路４１３ｉに出力する。すなわち、ウォブルカウンタ同期保護解除判定回路４１３ｈは、デジタル信号の振幅値が最小値となるウォブルクロックのカウント値に対応するアドレスの分布に基づいて、ウォブルカウンタのリセットを可能に（同期保護解除）する信号を出力する。
【０１５８】
この同期保護解除信号を受けたウォブルカウンタロック信号生成回路４１３ｉは、ウォブルカウンタロック信号“Ｌ”を出力する。
【０１５９】
ＡＮＲ１回路４１３ｎでは、ウォブルカウンタロック信号と既述のＡＮＤ出力信号とのＡＮＤ条件、またはウォブルカウンタ３１３ａ自身のキャリー（＝＝“９２”検出回路４１３ｅのアクティブ結果）、いずれか一方で負論理のリセット信号を生成する。
【０１６０】
すなわち、ウォブルカウンタ３１３ａは、自身のキャリーの他、ウォブルカウンタロック信号が“Ｌ”（アクティブ）でＡＤＣ出力結果が２周期連続で差分値が｜２｜だった場合に、一致比較結果がアクティブになった瞬間にリセットされる。
【０１６１】
なお、ウォブルカウンタロック信号は後述するが初期状態は“Ｌ”である。ここでウォブルカウンタ３１３ａをリセットする理由は、実施例３で示したようにパターン選択時の判定条件に検出するカウンタ値を一定（“６”や“８”など）にできるからである。
【０１６２】
リセット条件は、ＡＤＣ最小値アドレスの推移が“Ｎ＋２”→“Ｎ”、すなわち差分値が“２”だった場合、ビット０→ビット１だったものと判断して、カウンタ値がＮ−６のときに“０”にリセットするようにする。
【０１６３】
また、ＡＤＣ最小値アドレスの推移が“Ｎ”→“Ｎ＋２”、すなわち差分値が“−２”だった場合は、ビット１→ビット０だったものと判断して、カウンタ値がＮ−８のときに“０”にリセットするようにする。これによりカウンタの位相を図２〜４に示した位相になるよう合わせ込む。
【０１６４】
図１７のタイミングチャートでは、ＡＤＣ最小値アドレスの推移が“２１”→“１９”だったことを受け、カウンタ値が“１９−６＝１３”のときに、カウンタ値を“０”リセットする。
【０１６５】
以上の手順により、２周期連続でＡＤＣ最小値アドレス値を検出するだけで、初期状態、フリーランで動作するウォブルカウンタ３１３ａの位相をＡＤＩＰ位相に合わせこむことができる。
【０１６６】
なお、カウンタ位相を合わせた以降のＡＤＩＰ検出方法は、実施例１で示した通りである。ＡＤＣ最小値アドレスが“２または３または４”の場合は、検出値保持用Ｆ／Ｆ１３ｂの出力が＝＝“２ｏｒ３ｏｒ４”検出回路４１３ｂにより検出され、パターン選択回路４１３ｊがこの検出結果を受けてシンクパターンを選択する。また、ＡＤＣ最小値アドレスが“６”の場合は、検出値保持用Ｆ／Ｆ１３ｂの出力が＝＝“６”検出回路４１３ｃにより検出され、パターン選択回路４１３ｊがこの検出結果を受けてビット１を選択する。また、ＡＤＣ最小値アドレスが“８”の場合は、検出値保持用Ｆ／Ｆ１３ｂの出力が＝＝“８”検出回路４１３ｄにより検出され、パターン選択回路４１３ｊがこの検出結果を受けてビット０を選択する。
【０１６７】
また、“６”検出はせずに、“２または３または４”、“８”のいずれでもない場合は、パターン選択回路４１３ｊはビット１を選択するようにしてもよい。
【０１６８】
次に、本実施例において必要となる同期保護動作について説明する。
【０１６９】
既述の図１６に示すように、＝＝“２”ｏｒ ＝＝“−２”検出回路４１３ａによる既述の差分値“２”検出信号を受け、ウォブルカウンタ３１３ａをリセットした時点で、ウォブルカウンタ同期保護開始判定回路４１３ｇ内で生成される差分値“２”検出ホールド信号が“Ｈ”となる。また、ＡＤＣ最小値アドレスが“６”だった場合には、＝＝“６”検出回路４１３ｃの出力する“６”検出ホールド信号が“Ｈ”になる。また、ＡＤＣ最小値アドレスが“８”だった場合には、＝＝“８”検出回路４１３ｄの出力する“８”検出ホールド信号が“Ｈ”になる。
【０１７０】
これら３つのホールド信号は、“Ｈ”になった以降は、ウォブルカウンタロック信号が“Ｈ”から“Ｌ”に変化するまで、または、“６”、“８”以外検出信号が“Ｌ”から“Ｈ”に変化するまで、“Ｈ”のままとなる。
【０１７１】
ウォブルカウンタロック３１３ａは、カウンタ値９２で発生する自身のキャリーが発生した場合、または、ウォブルカウンタロック信号が“Ｌ”でＡＮＤ回路４１３ｍがリセット信号を発生した場合の何れかで、“０”にリセットされる。すなわち、ウォブルカウンタロック信号が“Ｈ”のときは、ＡＮＤ回路４１３ｍが出力するリセット信号は無効となり同期保護されることになる。
【０１７２】
図１６に示すように、ＡＤＣ最小値アドレスが“２１”→“１９”と推移し、カウンタリセットした時点で、差分値“２”検出ホールド信号が“Ｈ”となる。次にＡＤＣ最小値アドレスが“８”となった時点で“８”検出ホールド信号が、“６”となった時点で“６”検出ホールド信号が、それぞれ“Ｈ”になる。“６”検出ホールド信号が“Ｈ”になった時点で３条件が揃い、ウォブルカウンタロック信号が“Ｈ”となり、同期引き込みした。
【０１７３】
このように、ＡＤＩＰ復号回路４１３は、デジタル信号の振幅値が最小値となるウォブルクロックのカウント値に対応する複数のカウンタ周期のアドレスアドレスの分布に基づいて、リセットを一時的に抑制する。
【０１７４】
次に、本実施例において同期引き込み過程でトラックジャンプするなどの影響により、カウンタとＡＤＩＰ位置との位相関係が変わり、再引き込みする場合の挙動について説明する。
【０１７５】
図１７は、同期引き込み過程でトラックジャンプするなどの影響により、カウンタとＡＤＩＰ位置との位相関係が変わり、再引き込みする場合のタイミングチャートである。
【０１７６】
ＡＤＣ最小値アドレスが“５８”→“６０”と推移した時点で差分値“２”を検出し、カウンタ位相合わせこみするとともに差分値“２”検出ホールド信号が“Ｈ”となる。この後、ビット１が２回連続で発生し、ＡＤＣ最小値アドレスが２回連続で“６”となる。１回目の“６”検出にて“６”検出ホールド信号が“Ｈ”となる。
【０１７７】
なお、この時点ではまだ“８”検出ホールド信号は“Ｌ”で、３条件が揃っていないため、ウォブルカウンタロック信号は“Ｌ”のままである。
【０１７８】
次にトラックジャンプが発生し、カウンタとＡＤＩＰとの位相がずれ、ＡＤＣ最小値アドレスが正規位相では通常発生し得ない“２２”が検出された。ここで“６”、“８”以外検出信号が“Ｌ”から“Ｈ”に変化し、これを受けて、差分値“２”検出ホールド信号、及び、“６”検出ホールド信号が“Ｈ”から“Ｌ”にクリアーされる。
【０１７９】
次に、ＡＤＣ最小値アドレスが“２２”→“２４”と推移した時点で、差分値“２”検出ホールド信号が再び“Ｈ”となり、カウンタリセットが発生する。次にビット０→ビット１パターンによりＡＤＣ最小値アドレスが“８”→“６”と推移し、３条件が揃いウォブルカウンタロック信号が“Ｈ”となり、同期引き込みした。
【０１８０】
なお、本実施例では差分値２からＮ値を検出しているが、基本的にはビット０とビット１の組み合わせにより検出することになる。
【０１８１】
しかしながら、既述したようにシンクパターンとビット１との組み合わせでも差分値が“２”となることはあり得る。シンクパターンは既述したように５２回に１回の割合でしか発生しない。このため、引き込み過程で既述の組み合わせが発生する確率は高くはない。
【０１８２】
この場合は、図１８に示す、同期引き込み過程でシンクパターンを通過して同期引き込みをするタイミングチャートのような動作となる。この例では引き込み過程において、ビット１→シンクパターンを通過した。ここでＡＤＣ最小値アドレスは“６３”→“６１”を示したため、６１位置がビット１パターンによるＡＤＣ最小値位置と判定し、カウンタを“６１−６＝５５”時にリセットして位相合わせした。この後、ＡＤＣ最小値アドレスが“８”となり“８”検出ホールド信号が“Ｈ”にセットされる。ところが実際には既述の６１位置はビット１ではなくシンクパターンによるＡＤＣ最小値位置であり、以降、ビット０が検出されると位相が正しければ“８”となるべきアドレスが“１０”となった。これにより“６”、“８”以外検出信号が“Ｌ”から“Ｈ”に立ち上がり、位相が正しくなかったことが判明し、引き込み動作が完了する前にクリアーされる。
【０１８３】
この後は、ビット１→ビット０推移を受けて再引き込みすることになる。既述の引き込み過程におけるシンクパターンの影響により、カウンタが誤った位相に段階的になるが、既述した３条件の引き込み条件により、引き込む前に位相誤りが判明し、手順を踏むものの誤ってロックすることを防ぐことができる。これを利用し、図１８のタイミングチャートには示していないが、ウォブルカウンタロック信号が“Ｌ”の期間はＡＤＩＰ検出パターンを強制ビット１にするなどの工夫を加えてもよい。
【０１８４】
次に、本実施例において同期引き込み後のトラックジャンプなどによる影響で同期外れを起こす場合の動作について説明する。
【０１８５】
図１９は、同期引き込み後のトラックジャンプなどによる影響で同期外れを起こす場合の動作を示すタイミングチャートである。
【０１８６】
本実施例では同期外れ条件を“６”、“８”以外検出が７回連続で発生した場合としている。“６”、“８”以外となるのは既述したようにシンクパターンでは“２”〜“４”の値を取り得るため、定常的に１回は発生する。したがって、２回以上を条件にすべきで、後は外乱などによる影響から“６”、“８”以外の値が発生する場合を想定し、引き込み時間との兼ね合いも含め、システム的に決定すべきである。
【０１８７】
図１９の例では、前半部分でＡＤＣ最小値アドレスが“４”となる場面があり、“６”、“８”以外検出信号が“Ｌ”から“Ｈ”となり、これを受けて初期値“０”である同期外れ回数計測カウンタが“１”となる。しかし、次にＡＤＣ最小値アドレスが“８”となり“６”、“８”以外検出信号が“Ｈ”から“Ｌ”となったことを受けて既述のカウンタは“０”にリセットされる。
【０１８８】
この動作はカウンタとＡＤＩＰ位置との位相が合っていると判断できたため、同期保護したことを示す。次にトラックジャンプが発生し、ＡＤＣ最小値アドレスが“７７”→“７５”・・・と推移し、既述カウンタが“１”→“２”・・・カウントアップし続ける。“７”となった時点で同期外れ条件を満たしたため、ウォブルカウンタロック信号を“Ｌ”にクリアーする。ウォブルカウンタロック信号の“Ｈ”から“Ｌ”への変化を受けて、差分値“２”ホールド信号、“６”検出ホールド信号、“８”検出ホールド信号を全て“Ｌ”にクリアーする。ここで再び引き込み動作に入り、“７７”→“７５”の推移を検出してカウンタを位相合わせし、“６”→“８”の推移を検出した後再引き込みする。
【０１８９】
以上、本実施例では、２連続検出方法により実施例１、２、３よりも早く引き込むことが可能である。
【０１９０】
また、同期保護の概念を取り入れることにより、多少構成は複雑にはなるが、シンクパターンの影響もなく確実にＮ値を検出することができ、引き込み後の外乱にも強く安定したＡＤＩＰ復号が可能となる。
【０１９１】
また、実施例３同様にＡＤＩＰ復号判定に利用するアドレス値を固定にすることができ、かつ、ウォブルカウンタは１つで構成することができる。
【実施例５】
【０１９２】
実施例４では、リセット動作をノイズ等の外乱から保護する構成について述べた。
【０１９３】
本実施例においては、当該リセット動作をノイズ等の外乱から保護する他の構成について述べる。なお、光ディスク装置の構成は、図１に示す光ディスク装置１００の構成と同様である。
【０１９４】
図２０は、図１における点線部分の、本発明の一態様である実施例５に係るＡＤＩＰを復号するための回路構成を示す図である。なお、実施例１ないし４と同様の符号を付された構成は、実施例１ないし４と同様の構成である。そして、本実施例に係るＡＤＩＰ復号回路５１３が図１のＡＤＩＰ復号回路１３に置き換わるものである。
【０１９５】
本実施例は、実施例４と同様に、Ｎ値を連続するウォブルカウンタ周期で検出して、ウォブルカウンタを位相合わせし、同期保護の概念を取り入れるところまではと同じである。
【０１９６】
実施例４との違いは、実施例１と実施例２との違いで説明した絶対比較と相対比較の違いである。
【０１９７】
ここで、図２１は、同期保護状態で、傷などによる外乱が発生した場合の実施例４による復号結果を示すタイミングチャートである。また、図２２は、同期保護状態で、傷などによる外乱が発生した場合の実施例５による復号結果を示すタイミングチャートである。
【０１９８】
図２１に示すように、実施例４では、検出したＡＤＣ最小値アドレス値からＡＤＩＰパターンを選択する。これに対し、図２２に示すように、本実施例では実施例２、３同様にウォブルカウンタ値が“４”、“６”、“８”の時のＡＤＣ出力値を相対比較（最小値検出）することで、ＡＤＩＰパターンを判定する。このように、本実施例においては、さらに外乱に強く安定した復号が可能となる。
【０１９９】
以上のように、本実施例に係る光ディスク装置によれば、回路構成をより簡略化しつつ、ＡＤＩＰ復号のさらなる安定化を図ることができる。
【０２００】
なお、位相反転部分によるバンドパスフィルタ出力への影響は、バンドパスフィルタ自体の次数やＱの違いにより、群遅延特性や位相特性などが変わるため異なる。
【０２０１】
この場合は、ＡＤＣサンプリング位相を変える、ＡＤＣの比較を小なりではなく大なりにする、ＡＤＩＰパターン判別箇所を“６”、“８”などから“５”、“７”にシフトする、など特性に合わせ、ＡＤＩＰが確実に判別できるよう具体的検出方法を一部変更することにより対応可能である。
【０２０２】
また、非位相反転部分におけるウォブル振幅を安定化させるため、各実施例ではＡＧＣを用いた。しかし、サンプリングポイントで非位相反転部分のウォブル波形がセンター電位を下回る確率はディフェクトなどの外乱時以外は非常に低いため、ＡＧＣを構成から除外して簡素な構成にしてもよい。
【０２０３】
さらに、非位相反転部分のサンプリングポイントを明確化するため、ＢＰＦとＡＤＣとの間にゲインアンプを設けてもよい。
【０２０４】
また、バンドパスフィルタの中心周波数を調整する手段をさらに付加し、中心周波数ずれを常に補正するようにすると、波形歪み箇所がより安定し、さらに確度の高い復号が実現できる。
【０２０５】
さらに、各実施例ではハードウエアで構成したが、例えばＡＤＣ最小値アドレスからＮ値を設定する部分などはウォブルカウンタ周期毎の最小値アドレスをマイコンで判断し、マイコンがＮ値を判断してハードウエアに設定する方法を採ってもよい。
【図面の簡単な説明】
【０２０６】
【図１】本発明の一態様である実施例１に係る光ディスク装置の要部の構成を示す図である。
【図２Ａ】ＢＰＦの中心周波数がセンターである場合のＡＤＩＰ回路の出力波形を示す図である。
【図２Ｂ】ＢＰＦの中心周波数がセンターである場合のＡＤＩＰ回路の出力波形を示す図である。
【図２Ｃ】ＢＰＦの中心周波数がセンターである場合のＡＤＩＰ回路の出力波形を示す図である。
【図３Ａ】温度特性等による素子バラつきを考慮して中心周波数をマイナス方向にずらした場合のＡＤＩＰ回路の出力波形を示す図である。
【図３Ｂ】温度特性等による素子バラつきを考慮して中心周波数をマイナス方向にずらした場合のＡＤＩＰ回路の出力波形を示す図である。
【図３Ｃ】温度特性等による素子バラつきを考慮して中心周波数をマイナス方向にずらした場合のＡＤＩＰ回路の出力波形を示す図である。
【図４Ａ】温度特性等による素子バラつきを考慮して中心周波数をプラス方向にずらした場合のＡＤＩＰ回路の出力波形を示す図である。
【図４Ｂ】温度特性等による素子バラつきを考慮して中心周波数をプラス方向にずらした場合のＡＤＩＰ回路の出力波形を示す図である。
【図４Ｃ】温度特性等による素子バラつきを考慮して中心周波数をプラス方向にずらした場合のＡＤＩＰ回路の出力波形を示す図である。
【図５】図１における点線部分の、実施例１に係るＡＤＩＰを復号するための回路構成を示す図である。
【図６】ＡＤＣのサンプリング動作を示す図である。
【図７】カウンタ周期ごとにレジスタ値の変化を示すタイミングチャートである。
【図８】定常状態からトラックジャンプするなどしてＡＤＩＰの変調領域とカウンタとの位相関係、すなわちＮ値が変わった場合の動作のタイミングチャートである。
【図９】図１における点線部分の、本発明の一態様である実施例２に係るＡＤＩＰを復号するための回路構成を示す図である。
【図１０】傷などによる外乱が発生した場合の実施例１による復号結果を示すタイミングチャートである。
【図１１】傷などによる外乱が発生した場合の実施例２による復号結果を示すタイミングチャートである。
【図１２】図１における点線部分の、本発明の一態様である実施例３に係るＡＤＩＰを復号するための回路構成を示す図である。
【図１３】実施例３による復号結果を示すタイミングチャートである。
【図１４】実施例３においてトラックジャンプなどの影響により位相ずれが発生した後に、再び引き込むまでの過程を示すタイミングチャートである。
【図１５】図１における点線部分の、本発明の一態様である実施例４に係るＡＤＩＰを復号するための回路構成を示す図である。
【図１６】実施例４による同期引き込み時の復号結果を示すタイミングチャートである。
【図１７】同期引き込み過程でトラックジャンプするなどの影響により、カウンタとＡＤＩＰ位置との位相関係が変わり、再引き込みする場合のタイミングチャートである。
【図１８】同期引き込み過程でシンクパターンを通過して同期引き込みを示すタイミングチャートである。
【図１９】同期引き込み後のトラックジャンプなどによる影響で同期外れを起こす場合の動作を示すタイミングチャートである。
【図２０】図１における点線部分の、本発明の一態様である実施例５に係るＡＤＩＰを復号するための回路構成を示す図である。
【図２１】同期保護状態で、傷などによる外乱が発生した場合の実施例４による復号結果を示すタイミングチャートである。
【図２２】図２２は、同期保護状態で、傷などによる外乱が発生した場合の実施例５による復号結果を示すタイミングチャートである。
【符号の説明】
【０２０７】
１  光ディスク
２  ピックアップ
３  マトリクスアンプ
４  サーボ制御回路
５  回転制御回路
６  レーザ駆動装置
７  制御マイコン
８  ＡＧＣ回路
９  ＢＰＦ
１０  ウォブルＰＬＬ回路
１１  タイミング生成回路
１２  ＡＤＣ
１３、２１３、３１３、４１３、５１３  ＡＤＩＰ復号回路
１３ａ  ＡＤＣ最小アドレス検出回路
１３ｂ  検出値保持用Ｆ／Ｆ
１３ｃ  前回検出値保持用Ｆ／Ｆ
１３ｄ  前々回検出値保持用Ｆ／Ｆ
１３ｅ  “Ｎ→Ｎ→Ｎ＋２”“Ｎ→Ｎ＋２→Ｎ”“Ｎ＋２→Ｎ→Ｎ”検出回路
１３ｆ  Ｎ値保持用Ｆ／Ｆ
１３ｇ  ＝＝“Ｎ−（２ｏｒ３ｏｒ４）”検出回路
１３ｈ  “Ｎ”検出回路
１３ｉ  “Ｎ＋２”検出回路
１３ｊ  パターン選択回路
１３ｋ  ラインカウンタ
１３ｌ  Ｓ／Ｐ回路
１３ｍ  ９３進フリーランカウンタ
１３ｎ  ＝＝“Ｎ−７”検出回路
１３ｏ  ＝＝“Ｎ−２”時ＡＤＣ値検出回路
１３ｐ  ＝＝“Ｎ”時ＡＤＣ値検出回路
１３ｑ  ＝＝“Ｎ＋２”時ＡＤＣ値検出回路
１３ｒ  大小比較回路
１４  再生記録信号処理回路
１００  光ディスク装置
１００ａ  ＡＤＩＰ復号装置
３１３ａ  ウォブル（９３進）カウンタ
３１３ｂ  ＝＝“４”時ＡＤＣ値検出回路
３１３ｃ  ＝＝“６”時ＡＤＣ値検出回路
３１３ｄ  ＝＝“８”時ＡＤＣ値検出回路
４１３ａ  ＝＝“２”ｏｒ ＝＝“−２”検出回路
４１３ｂ  ＝＝“２ｏｒ３ｏｒ４”検出回路
４１３ｃ  ＝＝“６”検出回路
４１３ｄ  ＝＝“８”検出回路
４１３ｅ  ＝＝“９２”検出回路
４１３ｆ  一致比較回路
４１３ｇ  ウォブルカウンタ同期保護開始判定回路
４１３ｈ  ウォブルカウンタ同期保護解除判定回路
４１３ｉ  ウォブルカウンタロック信号生成回路
４１３ｊ  パターン選択回路
４１３ｋ  ＮＯＲ回路
４１３ｍ  ＡＮＤ回
４１３ｎ  復号ゲートＡＮＲ１回路
４１３ｏ  引き算回路
【図１】
2008186494.tif 000003
【図２Ａ】
2008186494.tif 000004
【図２Ｂ】
2008186494.tif 000005
【図２Ｃ】
2008186494.tif 000006
【図３Ａ】
2008186494.tif 000007
【図３Ｂ】
2008186494.tif 000008
【図３Ｃ】
2008186494.tif 000009
【図４Ａ】
2008186494.tif 000010
【図４Ｂ】
2008186494.tif 000011
【図４Ｃ】
2008186494.tif 000012
【図５】
2008186494.tif 000013
【図６】
2008186494.tif 000014
【図７】
2008186494.tif 000015
【図８】
2008186494.tif 000016
【図９】
2008186494.tif 000017
【図１０】
2008186494.tif 000018
【図１１】
2008186494.tif 000019
【図１２】
2008186494.tif 000020
【図１３】
2008186494.tif 000021
【図１４】
2008186494.tif 000022
【図１５】
2008186494.tif 000023
【図１６】
2008186494.tif 000024
【図１７】
2008186494.tif 000025
【図１８】
2008186494.tif 000026
【図１９】
2008186494.tif 000027
【図２０】
2008186494.tif 000028
【図２１】
2008186494.tif 000029
【図２２】
2008186494.tif 000030